(57)【要約】【課題】単一の分割コアについて二列にわたり配置される巻線同士を電気的に接続するための構造を小型化する。【解決手段】複数の突極を有する円環状のステータコアを一極分ずつに分割した分割コア２と、分割コア２のうち少なくとも巻線巻回部分の両端面に配置されて分割コア２自体と巻線３Ａ，３Ｂとの間を絶縁するエンドキャップ４と、分割コア２に平角素線３ａを二列にわたり平巻きしてその巻回方向が互いに逆になるように配置した巻線３Ａ，３Ｂとを備える。二列の巻線３Ａ，３Ｂの内周始端部同士を電気的に接続することで単一の巻線として機能させるにあたり、二列の巻線３Ａ，３Ｂ同士を相互に接続する渡線７をエンドキャップ４と一体に成形する。【選択図】　図２
2004015878.tif 000002
【特許請求の範囲】
【請求項１】
複数の分割コアと、分割コアに平角素線を少なくとも二列にわたり平巻きしてその巻回方向が互いに逆になるように配置した巻線と、分割コアのうち少なくとも巻線の巻回部分の両端面に配置されて分割コア自体と巻線との間を絶縁するエンドキャップとを備え、二列の巻線の内周側始端部同士を電気的に接続することで単一の巻線として機能するようにした電動機の固定子構造において、
二列の巻線の内周側始端部同士を相互に接続する渡線をエンドキャップと一体に成形したことを特徴とする電動機の固定子構造。
【請求項２】
エンドキャップと一体に成形した渡線のうちエンドキャップの表面から露出した面よりも外側に突出した部位をエンドキャップ内部に有することを特徴とする請求項１に記載の電動機の固定子構造。
【請求項３】
渡線をエンドキャップの表面から露出した面と直角方向から見たときに、その渡線の全長もしくは一部において巻線巻回軸に対して非平行となる面が存在することを特徴とする請求項１または２に記載の電動機の固定子構造。
【請求項４】
エンドキャップの表面に、渡線のうち巻線の巻回方向とは反対側の一部を覆いつつ平角素線の始端部と対峙する突起部が形成されていて、その突起部の高さが平角素線の厚み寸法と同等もしくはそれよりも大きな段差を有することを特徴とする請求項１〜３のいずれかに記載の電動機の固定子構造。
【請求項５】
エンドキャップの表面に、渡線のうち巻線の巻回方向とは反対側の縁部に隣接するように突起部を形成し、その突起部に平角素線の始端部を挿入するための溝を有することを特徴とする請求項１〜３のいずれかに記載の電動機の固定子構造。
【請求項６】
渡線に平角素線の始端部を鈍角に曲げた状態で挿入できる溝を設けたことを特徴とする請求項１〜３のいずれかに記載の電動機の固定子構造。
【請求項７】
渡線の溝に隣接して巻線の巻回方向とは反対側の位置にエンドキャップの表面より突出した部位を設けたことを特徴とする請求項６に記載の電動機の固定子構造。
【請求項８】
渡線を共有することになる二列の巻線について、それぞれの平角素線の始端部を挿入する溝を相互に連続したものとし、その溝の全長において同一断面形状としたことを特徴とした請求項６または７に記載の電動機の固定子構造。
【請求項９】
エンドキャップと一体成形される渡線のうち巻線との結線部を隣接する分割コア同士の間に形成されるスロット部内周壁面と平行な位置に設定したことを特徴とする請求項１〜８のいずれかに記載の電動機の固定子構造。
【請求項１０】
エンドキャップと一体成形される渡線のうち巻線との結線部をエンドキャップとは非接触状態にして突出したかたちで成形し、その突出部と巻線となる平角素線を結線した後にエンドキャップに沿って曲げるようにしたことを特徴とする請求項１〜８のいずれかに記載の電動機の固定子構造。
【請求項１１】
請求項１に記載の電動機の固定子を製造する方法であって、
巻線となる平角素線単体の状態でその始端部がエンドキャップの角部に沿うように且つ渡線の表面に当接するように予め曲げ加工を施し、その平角素線の始端部と渡線を結線した後に平角素線の巻回処理を行うことを特徴とする固定子の製造方法。
【発明の詳細な説明】
【０００１】
【発明の属する技術分野】
本発明は、電動機における固定子（ステータ）の構造とその製造方法に関し、特に平角線を巻線素線として用いた分割集中巻き構造の固定子とその製造方法に関する。
【０００２】
【従来の技術】
従来の固定子の構造としては例えば特開昭６１−２１４７４８号公報に記載のものがある。この例では、巻方向の異なる空芯コイルを複数配置し、隣り合う空芯コイルの内周始端部同士を互いに結線してある。
【０００３】
【発明が解決しようとする課題】
従来例のようなコイルを分割集中巻きのコアに巻回する際には、コアと巻線との間を絶縁する絶縁体が必要となる。この絶縁体の上に二列の巻線を電気的に接続する渡線が存在すると、絶縁体の表面に先ず渡線が配置され、さらにその上に巻線が巻回されることになるため、渡線の上部には盛り上がりが生じてコイルエンドを大きくしてしまうという問題があった。また、絶縁体に渡線をはめ込む溝を設けてコイルエンドを小さくしようとしても、巻回開始時に巻線に作用する張力で渡線が抜けてしまうおそれがあった。
【０００４】
本発明はこのような課題に着目してなされたものであり、とりわけコイルエンド部での大型化を招くことなく、しかも渡線の抜け出しを未然に防止した構造とその製造方法を提供しようとするものである。
【０００５】
【課題を解決するための手段】
請求項１に記載の発明は、複数の分割コアと、分割コアに平角素線を少なくとも二列にわたり平巻きしてその巻回方向が互いに逆になるように配置した巻線と、分割コアのうち少なくとも巻線の巻回部分の両端面に配置されて分割コア自体と巻線との間を絶縁するエンドキャップとを備え、二列の巻線の内周側始端部同士を電気的に接続することで単一の巻線として機能するようにした電動機の固定子構造として、二列の巻線の内周側始端部同士を相互に接続する渡線をエンドキャップと一体に成形したことを特徴とする。
【０００６】
また、請求項１に記載の固定子を製造する方法である請求項１１に記載の発明は、巻線となる平角素線単体の状態でその始端部がエンドキャップの角部に沿うように且つ渡線の表面に当接するように予め曲げ加工を施し、その平角素線の始端部と渡線を結線した後に平角素線の巻回処理を行うことを特徴とする。
【０００７】
【発明の効果】
したがって、この請求項１に記載の発明によれば、渡線がエンドキャップと予め一体に成形されていて実質的に渡線がエンドキャップ内に強固に固定されているために、エンドキャップと渡線が併存しながらもコイルエンド部の小型化を図ることが可能であり、また巻線の巻回時に渡線に張力が作用したとしてもその渡線がエンドキャップから抜け出てしまうことがなく信頼性の高いものとなる。
【０００８】
また、請求項１１に記載の発明によれば、予め曲げ加工を施した渡線と平角素線を結線した後にその平角素線の巻回処理を行うことから、渡線が抜ける方向の力を減少させることが可能となるほか、エンドキャップのうちスロット部内周壁面側の薄肉部に作用するせん断力が小さくなってエンドキャップの破損を未然に防止でき、さらにはその薄肉部を一層薄肉化することが可能となることにより巻線占有率の向上にも寄与できる。
【０００９】
【発明の実施の形態】
図１〜６は本発明に係る電動機の固定子構造の好ましい第１の実施の形態を示したものであり、特に図１は固定子（ステータ）全体の構造を、図２は固定子の単位構成要素として１極分の分割コアに巻線が巻かれた状態を、図３は巻線が巻かれる前の分割コア単体の状態をそれぞれ示している。
【００１０】
図１，２に示すように、電動機の固定子１は分割コア方式となっており、一つの極ごとに独立した分割コア（分割ステータコア）２に、表面に絶縁皮膜を施した平角素線３ａを二列にわたり巻回して巻線３Ａ，３Ｂとし、それら複数の分割コア２，２…を円環状に組み立てて固定子１を形成している。図３は１極分の分割コア２にエンドキャップ４，５を取り付けた状態すなわち巻線３Ａ，３Ｂを巻回する前の状態を示しており、分割コア２は例えば図４に示すように略変形Ｔ字状に打ち抜くことによりティース部６ａとバックティース部６ｂを備えた電磁鋼板６を積層することで形成され、鋼板積層体はその側面に例えばレーザ溶接やかしめ加工を施すことで鋼板相互が結合されている。この分割コア２の突極部たるティース部６ａの表面には図５に示すように絶縁性を有する樹脂をもって成形した略鞍型の一対のエンドキャップ４，５が互い突き合わされるように装着され、これにより分割コア２のスロット部内周壁面（図１のように複数の分割コア２，２…を円環状に配置した場合に隣接する分割コア２，２同士の間に形成されることになるスロット部の内側壁面）およびコイルエンド部を含むティース部６ａ全周が絶縁性を有するエンドキャップ４，５にて覆われている。そして、エンドキャップ４，５のうちバックティース６ｂ側となる部分と固定子内周側となる部分にはそれぞれフランジ部４ａ，５ａが一体に突設されている。ただし、図３と比較すると明らかなように、図１，２では巻線３Ａ，３Ｂが見えにくくなるためにエンドキャップ４，５のうちフランジ部４ａ，５ａについては図示を省略している。
【００１１】
図２に示すように、巻線３Ａ，３Ｂは分割コア２のティース部６ａに対し平角素線３ａを平巻にして二列に並べることで形成される。巻線３Ａ，３Ｂはその平角素線３ａの巻回方向が互いに逆方向となるように設定されており、隣接する巻線３Ａ，３Ｂの内周側始端部同士は渡線７で電気的に結線されている。モータとして使用するときには、例えば巻線３Ａの外周側終端から電流を供給すると、巻線３Ａの内周側始端から渡線７および巻線３Ｂの内周側始端を経て巻線３Ｂの外周側終端に至る流れとなって、双方の巻線３Ａ，３Ｂは単一の巻線として機能することになる。もちろん、逆の流れも可能である。
【００１２】
渡線７は、図３の（Ａ），（Ｂ）に示すようにその表面が一方のエンドキャップ４と面一状態となるように予めそのエンドキャップ４と一体に成形されている。より具体的には、例えばエンドキャップ４を絶縁性を有する樹脂材料をもって射出成形する際に、渡線７をインサートとして金型内に予め配置することにより一体成形されてエンドキャップ４内に埋設される。渡線７は同図（Ｂ）に示すように巻線３Ａ，３Ｂとなるべき平角素線３ａと同様のものを所望の長さに切断したものであり、渡線７のうち少なくとも巻線３Ａ，３Ｂが接合される面は絶縁皮膜を取り除いておくものとする。ただし、エンドキャップ４，５そのものが十分な絶縁性能を有する場合には絶縁皮膜を持たないいわゆる裸銅線を渡線７として使用しても良い。また、一部のポリエステル系絶縁材料などのように皮膜を有したまま超音波溶接などで接合することが可能な絶縁材料に関しては皮膜を除去する必要はなく、皮膜付の渡線７をエンドキャップ４に埋設することも可能である。
【００１３】
このようにして渡線７を予め埋め込んだエンドキャップ４ともう一方のエンドキャップ５を分割コア２のティース部６ａに互いに対向するように取り付ける。分割コア２は図示していない巻線機のクランプで把持された上で回転駆動される。巻線３Ａ，３Ｂとなる平角素線３ａの始端部は、必要に応じて結線部分の絶縁皮膜をワイヤブラシや砥石などで除去した上でエンドキャップ４の渡線７に当接させる。
【００１４】
図６は平角素線３ａと渡線７とを結線するための超音波溶接の状況を示した図である。一方の巻線３Ａとなるべき平角素線３ａの始端部を渡線７に当接させた上で、機械に取り付けられた超音波溶接機のホーン８を渡線７のうち結線部分に押し当てて、超音波振動を加えることで結線を行う。その後、渡線７と結線した平角素線３ａに張力を付与しながらその平角素線３ａと分割コア２を相対回転させていわゆる平巻き状態で分割コア２に幾重にも巻回して一方の巻線３Ａを形成する。その際に、渡線７にはエンドキャップ４から抜け出ようとする力が作用するが、予めエンドキャップ４に埋設されて一体化されているためにエンドキャップ４から抜けにくくなる。しかも、渡線７はエンドキャップ４と面一状態となるように埋設されていることから、その渡線７の上から巻線３Ａとなるべき平角素線３ａを巻回したとしても巻線３Ａが局部的に盛り上がるようなこともなく、いわゆるコイルエンド部での小型化が可能となる。
【００１５】
こうして、一方の巻線３Ａの巻回作業を終えたならば、それとは巻回方向が逆となるもう一方の巻線３Ｂの巻回作業を同様にして行い、その結果として図２に示したように二列の巻線３Ａ，３Ｂを有する分割コア２を得る。
【００１６】
ここで、上記第１の実施の形態ではエンドキャップ４，５にて分割コア２のティース部の全体を覆うようにしているが、例えばエンドキャップ４，５はコイルエンドのみとしてそれ以外のスロット部内周壁面側については絶縁紙等に置き換えることも可能である。
【００１７】
この第１の実施の形態によれば次のような効果が得られる。
【００１８】
（１）渡線７がエンドキャップ４と面一状態となるように予め一体に成形されているので、渡線７がエンドキャップ４の表面から突出することもなければその占有面積も必要とせず、さらには巻線３Ａ，３Ｂを巻いても盛り上がることもないので、コイルエンド部での小型化が図れるようになる。
【００１９】
（２）渡線７は一体成形によりエンドキャップ４に強固に固定されているので、巻線巻回時の張力でエンドキャップ４から抜け出てしまうことがなく、信頼性が高いものとなる。
【００２０】
図７，８は本発明の第２の実施の形態を示した図であり、図６に示した第１の実施の形態と共通する部分には同一符号を付してある。なお、この第２の実施の形態においてもエンドキャップ４，５と一体成形されたフランジ部４ａ，５ａ（図３，５参照）は図示省略してある。
【００２１】
図７に示すように、第１の実施の形態と同様にエンドキャップ４に予め渡線９が面一状態となるように一体成形されて埋設されているが、エンドキャップ４を同図（Ａ）のａ方向から見たときに渡線９はエンドキャップ４からの表面露出領域より突出した領域（エンドキャップの表面から露出した面よりも外側に突出した部位）をそのエンドキャップ４内に有している。具体的には、同図（Ｂ）に示すようにエンドキャップ４に埋設されることになる渡線９の断面形状が台形状となっていて、エンドキャップ４からの渡線９の抜け方向に対していわゆる抜け止め用のアンダーカットの関係となっている。このような渡線９は機械加工により断面台形状に加工しても良いし、渡線９となるべき平角素線３ａの製造過程で台形形状のダイスから引き抜き加工を行って製造してもよい。なお、図７の（Ａ）の符号１０は渡線９と平角素線３ａとの超音波溶接による結線部を示している。
【００２２】
したがって、この第２の実施の形態によれば、エンドキャップ４に埋設された渡線９がいわゆるアンダーカットの関係にあるために、エンドキャップ４からの渡線９の抜け止め効果が一段と向上するようになる。
【００２３】
図８は上記第２の実施の形態の変形例を示したもので、同図（Ａ）に示すように矩形断面を有する渡線１１の側面部分に突起１２が設けられ、この突起１２がエンドキャップ４内に埋設されるようになっている。また、同図（Ｂ）では、幅広の別の突起１２Ａを渡線１１の長手方向中間部分すなわち二列に巻いた巻線３Ａ，３Ｂ（図２参照）の中間部分に設けている。これらの突起１２，１２Ａは、図７と同様にして渡線１１のうちエンドキャップ４の表面露出部位よりも外側に突出した部位として機能することになる。
【００２４】
この第２の実施の形態の変形例によれば次のような効果が得られる。
【００２５】
（１）突起１２をエンドキャップ４内に有することで、渡線１１と平角素線３ａとが結線された後の巻回張力で渡線１１が抜けることが確実に防止され、より強固に渡線１１をエンドキャップ４に固定することが可能となる。
【００２６】
（２）図８の（Ｂ）に示すように幅広の別の突起１２Ａを設けることにより、両巻線３Ａ，３Ｂをつなぐ渡線１１の部分の断面積が大きくなり、強度的に有利になるほか、渡線１１の導通面積が増加することで電気抵抗が下がり損失が低下する効果がある。
【００２７】
図９は本発明の第３の実施の形態を示したものである。この第３の実施の形態では、エンドキャップ４と面一状態となるようにこれに埋設一体化されることになる渡線１３についてそれと面直角方向から見た場合に、長手方向での側面部１３ａが巻線３Ａ，３Ｂの巻回軸に対して斜めもしくは非平行となる面を有するようにしたものである。
【００２８】
より具体的には、渡線１３は長方形ではなく平行四辺形となるように予め機械加工が施された上で、エンドキャップ４を成形する際にいわゆるインサート成形法によりそのエンドキャップ４に埋設されて一体化される。
【００２９】
なお、巻線３Ａ，３Ｂの巻回軸に対して非平行になっている面は必ずしも渡線１３の全長にわたって設定されていなくても同様の効果は得られ、少なくとも長手方向の一部に設定されていれば足りる。その一方、渡線１３の断面積の増加による銅損低減を考慮すると、少なくとも渡線１３の長さの５０％以上の領域が非平行部位となっていることが望ましい。
【００３０】
この第３の実施の形態によれば次のような効果が得られる。
【００３１】
（１）渡線１３には図６と同様にして巻線３Ａ，３Ｂとなるべき平角素線３ａが結線されて、張力を付与されながら巻回されることになるが、その張力が長手方向の側面部１３ａのみならず両端面１３ｂにまでも分散されることになるので、いわゆる受圧面積の拡大化によりエンドキャップ４の破損や渡線１３の抜け出しが防止される。
【００３２】
（２）図９に示すように二つの側面部１３ａ，１３ａが互いに平行状態を保ちながらともに巻線３Ａ，３Ｂの巻回軸に対して非平行となっていることにより、巻線３Ａ，３Ｂの巻回軸に対して平行になっているものに比べて隣り合う巻線３Ａ，３Ｂ同士の距離が短くなるため、銅損低減に対して効果がある。
【００３３】
（３）渡線１３がエンドキャップ４の表面で実質的に斜めになっているため、渡線１３により発生する磁束が主たる磁束に対して直交しないため、その磁束を阻害することがなくなり巻線３Ａ，３Ｂの磁気性能向上の上でも有利となる。
【００３４】
図１０は本発明の第４の実施の形態を示したものであり、エンドキャップ１４，５と一体成形されることになるフランジ部４ａ，５ａ（図３，５参照）については図示省略してある。この実施の形態では、先の各実施の形態と同様にエンドキャップ１４に渡線１５が予め埋設されて一体化されているものであるが、エンドキャップ１４の表面に、渡線１５のうち巻線３Ａ，３Ｂの巻回方向とは反対側の一部を覆いつつ平角素線３ａの始端部と対峙する突起部１６が形成されている。
【００３５】
すなわち、渡線１５の上面の一部を覆うようにエンドキャップ１４に設けられた突起部１６は、巻線３Ａ側ではその巻線３Ａが巻回される方向と反対の方向に設けられ、したがってもう一方の巻線３Ｂ側の突起部１７は逆向きに設けられていて、いずれの突起部１６，１７も該当する巻線３Ａまたは３Ｂの内周側始端部となる平角素線３ａの始端部と対峙することになる。そして、突起部１６，１７の高さＨは少なくとも平角素線３ａの厚み（板厚）寸法と同一、望ましくは平角素線３ａの板厚寸法よりもわずかに大きくなるように設定されて段差が形成されている。
【００３６】
このようなエンドキャップ１４をもう一方のエンドキャップ５とともに分割コア２に取り付けて、巻線３Ａとなるべき平角素線３ａの先端部の絶縁皮膜を除去した上で突起部１６と突き合わせながら渡線１５に重ね合わせて、例えば結線部１０となるべき領域に超音波溶接機のホーンを押し当てて超音波溶接による結線を行う。その後、平角素線３ａに張力を付与しながら巻回作業を行う。もう一方の巻線３Ｂとなるべきを平角素線３ａを巻回する場合にも同様とする。
【００３７】
この第４の実施の形態によれば次のような効果が得られる。
【００３８】
（１）平角素線３ａに張力を付与しながら巻回作業を行う際に、張力付与に伴い渡線１５が浮き上がろうとしてもエンドキャップ１４に設けられた突起１６，１７により渡線１５の浮き上がりが拘束され、エンドキャップ１４からの渡線１５の抜け出しを防ぐことが可能となる。
【００３９】
（２）１ターン目（一巻き目）の平角素線３ａの巻回を終えて２ターン目（二巻き目）の巻回に移行する過程で、１ターン目の平角素線３ａの始端部上に２ターン目の平角素線３ａが巻かれることになるが、１ターン目の平角素線３ａの始端部はカッターなどで切断された面であってばり等が存在することもあるため、そのままの状態で２ターン目を巻回すると平角素線３ａの表面の絶縁皮膜を損傷してしまうおそれがある。本実施の形態では、渡線１５の表面に一部が掛かるように設けた突起部１６，１７の高さＨとして平角素線３ａの厚み寸法と同等以上の大きさに設定されているため、上記のような絶縁皮膜損傷の可能性がなくなる。
【００４０】
（３）高電圧機器などにおいて絶縁能力を一段と向上させる必要がある場合には、図１０のほか図１１に示すように結線部１０を覆うように絶縁フィルム７０を貼り付けて、実質的に結線部１０相当部において１ターン目と２ターン目の平角素線３ａ，３ａ同士の間に絶縁フィルム７０を介在させることにより絶縁能力を補強することが可能である。この場合に、絶縁フィルム７０の代わりに絶縁性接着剤ペーストを塗布して絶縁能力を向上させることも可能である。
【００４１】
図１２は本発明の第５の実施の形態を示したものでものであり、図１０に示した第４の実施の形態と共通する部分には同一符号を付してある。この実施の形態においては、図１２の（Ａ）に示すように、渡線１５が予め埋設されて一体化されたエンドキャップ１８の表面に、渡線１５のうち巻線３Ａの巻回方向とは反対側の縁部に隣接するように突起部１９を形成し、その突起部１９には平角素線３ａの始端部が挿入できる溝２０を形成してある。もう一方の巻線３Ｂが巻回される部位にも同様に溝２０付きの突起部２１を形成してあり、したがって、巻線３Ａ側の突起部１９ともう一方の巻線３Ｂ側の突起部２１とはその向きが互いに逆向きとなっている。巻線３Ａとなるべき平角素線３ａの始端部は先の実施の形態と同様にして接合面の皮膜をワイヤブラシなどで除去した後に渡線１５の部分に送給される。平角素線３ａの始端部は突起部１９に設けられた溝２０に挿入される。この状態で、結線部１０に超音波溶接などで溶接を施すことにより渡線１５と結線される。もう一方の巻線３Ｂの巻回作業を行う場合にも同様とする。
【００４２】
この第５の実施の形態によれば次のような効果が得られる。
【００４３】
（１）超音波溶接の場合には、結線部１０に押し当てたホーンに加圧力を加えた状態で超音波振動を加えて溶接するため、その加圧力や接合の熱により平角素線３ａの始端部が反り返ったりすることがある。その状態のままで２ターン目の平角素線３ａの巻回を行うと、２ターン目の平角素線３ａが反り返った平角素線３ａの始端部と接触して絶縁破壊を起こす可能性があるが、本実施の形態では平角素線３ａの始端部が溝２０に挿入されているため、浮き上がろうとしても拘束されて浮き上がることはない。
【００４４】
（２）２ターン目の平角素線３ａが上から巻回されても平角素線３ａの始端部に直接接触しないために絶縁性能を向上させやすいという効果がある。
【００４５】
（３）突起部１９，２１の高さは少なくとも平角素線３ａの厚み寸法よりも大きくなるため、図１２の（Ｃ）に示すように２ターン目の平角素線３ａが上から巻かれたときに１ターン目の結線部１０との間に空間が確保されて、絶縁性能を高めやすい。この場合、必要に応じて図１２の（Ｂ）に示すようにこの空間に絶縁性の接着剤や絶縁フィルム７０を挿入すれば、絶縁性能が一段と高くなる。
【００４６】
（４）巻線３Ａ，３Ｂを樹脂でモールドする場合には、上記突起部１９，２１により形成される隙間にも樹脂が流れるためにその流動性が促進されて、絶縁を確実に行うことが可能となる。
【００４７】
図１３は本発明の第６の実施の形態を示したものであり、図１０と共通する部分には同一符号を付してある。この実施の形態では、エンドキャップ２２に予め埋設されて一体化されることになる渡線２３に、巻線３Ａとなるべき平角素線３ａの始端部が挿入される斜めの溝２４を予め形成してある。同様に、その溝２４に隣接して、巻線３Ｂとなるべき平角素線３ａの先端が挿入される斜めの溝２５を逆向きに形成して、それぞれの溝２４，２５には平角素線３ａの始端部を鈍角に曲げた状態で挿入している。なお、これらの溝２４，２５は機械加工によって形成しても良いが、溝２４，２５の形状を含む渡線２３の全体形状を鋳造などで形成しても良い。
【００４８】
より具体的には、巻線３Ａとなる平角素線３ａの始端部のうち少なくとも渡線２３と当接する面は予め絶縁皮膜が除去される。曲げ加工前の平角素線３ａの始端部を渡線２３の溝２４に挿入した上で、曲げ加工で溝挿入部分以外の平角素線３ａをエンドキャップ２２の表面に沿わせるようにする。この状態で、平角素線３ａを渡線２３に挿入した部位から巻線３Ａの巻回方向に所定量だけ移動した部位であるところの結線部１０に超音波溶接等で溶接を施して接合することで結線が行われる。その後、平角素線３ａの巻回を行い、１ターン目から２ターン目の巻回に至るところで図１２と同様に絶縁フィルム７０を挟んで以降の巻回を行う。もう一方の巻線３Ｂの巻回作業を行う場合にも、同様に平角素線３ａの始端部を溝２５に挿入するものとする。
【００４９】
なお、図示の例では平角素線３ａの始端部の曲げ角度を鈍角としたが、鋭角として係合をより強固なものとすることができることはもちろんである。
【００５０】
この第６の実施の形態によれば次のような効果が得られる。
（１）平角素線３ａの始端部を渡線２３の溝２４，２５に挿入することで、巻線３Ａ，３Ｂとなる平角素線３ａの始端部の切断面でのばり等を原因として２ターン目以降の平角素線３ａに傷を付けてしまうのを未然に防止できる。
【００５１】
（２）エンドキャップ２２に例えば図１１，１２のような突起部等が設けられないためにエンドキャップ２２の構造が簡素化されるほか、コイルエンド部をより小さくすることが可能となり、モータの高性能化に寄与することが可能となる。　（３）平角素線３ａの始端部を溝２４，２５挿入して屈曲させることで、平角素線３ａと渡線２３の係合が良好に行われるから、巻回時の張力で渡線が抜け出るのを確実に防止することができる。
【００５２】
図１４は本発明の第７の実施の形態を示したものであり、図１３に示した第６の実施の形態と共通する部分には同一符号を付してある。この第７の実施の形態では、渡線２６には溝２４に隣接して巻線３Ａの巻回方向とは反対側の位置にエンドキャップ２２の表面よりも突出した部位としてその縁部に突起部２７が設けられていて、隣接するもう一方の巻線３Ｂ側の溝２５の縁部には反対側に突起部２８が設けられている。各突起部２７，２８の高さは、巻線３Ａ，３Ｂとなる平角素線３ａの厚み寸法よりも十分に大きく設定されている。
【００５３】
この第７の実施の形態によれば次のような効果が得られる。
【００５４】
（１）先の実施の形態と同様に平角素線３ａの先端を溝２４または２５に挿入することで、平角素線３ａの始端部の切断面のばりでその上から巻回される２ターン目の平角素線３ａに傷を付けることがない。
【００５５】
（２）突起部２７または２８が設けられていることで１ターン目の平角素線３ａと２ターン目の平角素線３ａとの間に隙間が確保されることから、２ターン目の平角素線３ａが結線部１０にて損傷した絶縁皮膜の上から直接巻回されることがなく絶縁性能を確保しやすくなる。特に先の実施の形態と同様に絶縁フィルム７０や絶縁性の接着剤を併用するとその効果が一段と顕著となる。
【００５６】
（３）エンドキャップ２２と巻線３Ａ，３Ｂとの間に突起部２７，２８の高さ分の隙間が確保されることで巻線３Ａ，３Ｂ全体を樹脂でモールドする際の樹脂の流れが良くなる。
【００５７】
図１５は本発明の第８の実施の形態を示したものであり、図１４の先の実施の形態と共通する部分には同一符号を付して説明すると、平角素線３ａの始端部を挿入するための溝とそれに隣接する突起部２７，２８を有した渡線２９がエンドキャップ２２に埋設一体化されている点で先の第７の実施の形態のものと同様である。その一方、溝３０は先の実施の形態のように傾斜したものではなく単純な断面矩形状のものとして形成されていて、且つ渡線２９の全長にわたりその溝３０が全長にわたって同一断面形状の連続したものとして形成されている点で先の実施の形態のものと異なっている。また、突起部２７，２８の高さは平角素線３ａの厚み寸法よりも十分に大きく設定されている。すなわち、この第８の実施の形態では、二列にわたり隣接配置される巻線３Ａ，３Ｂが実質的に単一の溝３０を共有しているかたちとなっている。
【００５８】
この実施の形態によれば、一方の巻線３Ａの巻回に際して、渡線２９と当接する面の絶縁皮膜を除去した平角巻線３ａの始端部を溝３０に挿入してほぼ直角に曲げた後に、結線部１０について超音波溶接を施して渡線２９と結線を行い、必要に応じて絶縁フィルム１７を併用する。その後に１ターン目、２ターン目の順に平角素線３ａを順次巻回する。もう一方の巻線３Ｂとなるべき平角素線３ａの巻回に際しても同様とする。
【００５９】
したがって、この第８の実施の形態によれば、先の第７の実施の形態と同様の効果が見込めるほか、溝３０を単純形状で且つ一つの連続したものとしたことによって渡線２９の生産性が向上し、機械加工などでも容易に製作することが可能となる。
【００６０】
図１６は本発明の第９の実施の形態を示したものであり、第１の実施の形態として図３に示したものと共通する部分には同一符号を付してある。この第９の実施の形態では、平面視にて略クランク状をなす板状の渡線３２がエンドキャップ３１に予め埋設されて一体化されている。渡線３２は銅板などを略クランク状に打ち抜いて、コイルエンド部からスロット部内周壁面にまたがるコーナー部の曲率と合致するように両端末部３２ａに曲げ加工を施した上で、先の各実施の形態と同様にエンドキャップ３１を成形する際にそれと面一状態となるように一体的に埋設される。
【００６１】
このようなエンドキャップ３１を分割コア２に取り付けて、図１６の（Ｂ）に示すように巻線３Ａとなるべき平角素線３ａの始端部をスロット部内周壁面と平行となるように沿わせた上で渡線３２の端末部３２ａと結線する。この結線は先の各実施の形態と同様に結線部１０に超音波溶接を施すことにより行う。これにより、渡線３２と巻線３Ａたる平角素線３ａとの結線部は隣接する分割コア２，２同士の間に形成されるスロット部内周壁面と平行な位置に設定される。その後、平角素線３ａに張力を付与しながら所定回数だけ巻回する。巻線３Ａとなるべき平角素線３ａの巻回の進行により、２ターン目の平角素線３ａが１ターン目の平角素線３ａの始端部の上に巻回される段階に至ったならば、先の実施の形態と同様にして両者の間に絶縁紙や絶縁フィルムを介在させて、平角素線３ａの始端部の切断面や超音波溶接などで皮膜が損傷した結線部１０の絶縁を確保して巻回を進めるものとする。なお、もう一方の巻線３Ｂの巻回作業を行う場合にも同様とする。
【００６２】
この９の実施の形態によれば次のような効果が得られる。
【００６３】
（１）巻線３Ａ，３Ｂとなるべき平角素線３ａの巻回開始時の張力がスロット部内周壁面と平行な方向に作用して、エンドキャップ３１のスロット部内周壁面側の薄肉部にせん断力を作用させずに巻回できるため、エンドキャップ３１の破損を防止できる。
【００６４】
（２）上記せん断力が小さくなるため、スロット部側に臨むエンドキャップ３１の肉厚を薄くすることが可能となり、スロット部内の巻線占有率が向上し、出力性能向上に寄与できる。
【００６５】
図１７は本発明の第１０の実施の形態を示したものである。この実施の形態では、第９の実施の形態とほぼ同形状の渡線３２Ａに曲げ加工を施すことなく平板状の打ち抜き展開形状のままで、エンドキャップ３１を成形する際にこれと一体に埋設するようにしたものである。こうすることで渡線３２Ａの結線部となるべき端末部３２ａはエンドキャップ３１とは非接触状態で突き出たかたちで保持される。この状態で、図１８に示すように一方の巻線３Ａとなるべき平角素線３ａの始端部を端末部３２ａに重ね合わせた上で、結線部１０に例えば超音波溶接を施して結線する。ただし、本実施の形態の特殊性として、渡線３２Ａの端末部３２ａと巻線３Ａとなるべき平角素線３ａの始端部を重ね合わせた部位をその板厚方向から直接クランプすることが可能となるので、上記の超音波溶接等に代えて例えば圧着通電かしめなどの熱負荷の大きな接合方法を採用することも可能である。
【００６６】
このようにして結線を終えたならば、図１９に示すように巻線３Ａとなるべき平角素線３ａを巻回しながらその張力を利用して結線部１０たる渡線３２Ａの端末部３２ａの曲げ加工を行い、平角素線３ａとともに渡線３２Ａの端末部３２ａをエンドキャップ３１のスロット部内周壁面に密着させる。そして、１ターン目の巻回を終えて２ターン目の巻回に移行する際には図１５に示した第８の実施の形態と同様にして絶縁紙や絶縁フィルムを併用するものとする。また、巻線３Ａとなるべき平角素線３ａの断面積が大きくて平角素線３ａの張力だけでは渡線３２Ａの端末部３２ａを十分に曲げられない場合には、ローラ等の治具を用いて曲げ加工を行うようにすると効果的である。これらの手順はもう一方の巻線３Ｂの巻回作業を行う場合にも同様とする。
【００６７】
この第１０の実施の形態によれば次のような効果が得られる。
【００６８】
（１）渡線３２Ａの端末部３２ａに予め曲げ加工を施す必要がないので生産性が向上するほか、結線部１０となる端末部３２ａがエンドキャップ３１に対して浮いた状態で結線作業を行えるため、結線に際して圧着通電かしめ等の熱負荷の大きな他の工法を採用することが可能となる。
【００６９】
（２）結線作業に超音波溶接等を採用した場合には、不安定なエンドキャップ３１の上で溶接するのではなく、渡線３２Ａの端末部３２ａと平角素線３ａとを直接クランプして接合するために、結線部１０の接合信頼性が向上する。
【００７０】
図２０は本発明の第１１の実施の形態を示したものであり、図６に示した第１の実施の形態と共通する部分には同一符号を付してある。この実施の形態では、同図（Ａ）に示すように例えば巻線３Ａとなるべき平角素線３ａの始端部の絶縁皮膜を予め除去した上で、その始端部を所定の曲率を持たせながらほぼ直角となるように曲げローラ４０で曲げ加工を施して曲折片部３３ａを形成する。そして、同図（Ｂ）に示すように平角素線３ａの曲率部分をエンドキャップ４の角部に当接させて、曲げ加工された曲折片部３３ａがエンドキャップ４と予め一体化された渡線７に重なり、なお且つ平角素線３ａの一般部がスロット部内周壁面に沿うようにセットする。この状態で、同図（Ｃ）に示すように超音波溶接機のホーン８を曲折片部３３ａの先端に押し当てて溶接を施すことにより渡線７と結線する。結線後に平角素線３ａに張力を付与しながらエンドキャップ４，５に巻回すると、そのエンドキャップ４，５に作用する力は分割コア２を形成している電磁鋼板の積層方向の力が主となり、エンドキャップ４，５のうちスロット部内周壁面側の薄肉部に作用するせん断力が小さくなり、エンドキャップ４，５の破損を防止することが可能となる。以上のような機能は、もう一方の巻線３Ｂとなるべき平角素線３ａの巻回作業を行う場合にも同様に発揮される。
【００７１】
この第１１の実施の形態によれば次のような効果が得られる。
【００７２】
（１）渡線７と平角素線３ａとを結線してから巻回するので、巻回時の張力で渡線７が抜ける方向の力を減少させることができる。
【００７３】
（２）エンドキャップ４，５のうちスロット部内周壁面側の薄肉部に作用するせん断力が小さくなるためにエンドキャップ４，５の破損を防止できるとともに、そのせん断力が小さくなることによってエンドキャップの薄肉部を一層薄くでき、巻線占有率を向上させることが可能となる。
【図面の簡単な説明】
【図１】固定子の組立状態を示す斜視図。
【図２】本発明の第１の実施の形態として図１の固定子を構成することになる分割コアの詳細を示す斜視図。
【図３】（Ａ）は図２の分割コアに巻線を巻回する前の状態を示す斜視図、（Ｂ）は同図（Ａ）の分割コアに採用される渡線単独での斜視図。
【図４】分割コアを形成することになる電磁鋼板の説明図。
【図５】図３のエンドキャップの詳細を示す分解斜視図。
【図６】図３の分割コアでの平角素線の結線状態を示す斜視図。
【図７】（Ａ）は本発明の第２の実施の形態として分割コアに巻線を巻回する前の状態を示す斜視図、（Ｂ）は同図（Ａ）の分割コアに採用される渡線単独での斜視図。
【図８】（Ａ），（Ｂ）ともに図７の（Ｂ）に示した渡線の変形例を示す斜視図。
【図９】本発明の第３の実施の形態として分割コアに巻線を巻回する前の状態を示す分解斜視図。
【図１０】（Ａ）は本発明の第４の実施の形態を示す分割コアの要部斜視図、（Ｂ）は同図（Ａ）の断面説明図。
【図１１】（Ａ）は図１０の変形例として絶縁フィルムを併用した分割コアの要部斜視図、（Ｂ）は同図（Ａ）の断面説明図。
【図１２】（Ａ）は本発明の第５の実施の形態を示す分割コアの要部斜視図、（Ｂ）は同図（Ａ）の状態から平角素線を巻回した状態を示す要部斜視図、（Ｃ）は同図（Ｂ）の断面説明図。
【図１３】（Ａ）は本発明の第６の実施の形態を示す分割コアの要部斜視図、（Ｂ）は同図（Ａ）の断面説明図。
【図１４】（Ａ）は本発明の第７の実施の形態を示す分割コアの要部斜視図、（Ｂ）は同図（Ａ）の断面説明図。
【図１５】（Ａ）は本発明の第８の実施の形態を示す分割コアの要部斜視図、（Ｂ）は同図（Ａ）の断面説明図。
【図１６】（Ａ）は本発明の第９の実施の形態として分割コアに巻線を巻回する前の状態を示す斜視図、（Ｂ）は同図（Ａ）に示した渡線と平角素線との結線後の状態を示す斜視図、（Ｃ）は同図（Ｂ）の平面図。
【図１７】本発明の第１０の実施の形態として分割コアに巻線を巻回する前の状態を示す斜視図。
【図１８】図１７に示した渡線と平角素線との結線後の状態を示す斜視図。
【図１９】図１８に示した渡線の曲げ加工後の状態を示す斜視図。
【図２０】（Ａ）〜（Ｃ）ともに本発明の第１１の実施の形態として分割コアの製造手順を示す工程説明図。
【符号の説明】
１…固定子
２…分割コア
３ａ…平角素線
３Ａ，３Ｂ…巻線
４，５…エンドキャップ
７…渡線
９…渡線
１０…結線部
１１…渡線
１２，１２Ａ…突起（外側突出部位）
１３…渡線
１３ａ…側面部（非平行部位）
１４…エンドキャップ
１５…渡線
１６，１７…突起部
１９，２１…突起部
２０…溝
２２…エンドキャップ
２３…渡線
２４，２５…溝
２６…渡線
２７，２８…突起部
２９…渡線
３０…溝
３１…エンドキャップ
３２…渡線
３２ａ…端末部
３２Ａ…渡線
３３ａ…曲折片部
【図１】
2004015878.tif 000003
【図２】
2004015878.tif 000004
【図３】
2004015878.tif 000005
【図４】
2004015878.tif 000006
【図５】
2004015878.tif 000007
【図６】
2004015878.tif 000008
【図７】
2004015878.tif 000009
【図８】
2004015878.tif 000010
【図９】
2004015878.tif 000011
【図１０】
2004015878.tif 000012
【図１１】
2004015878.tif 000013
【図１２】
2004015878.tif 000014
【図１３】
2004015878.tif 000015
【図１４】
2004015878.tif 000016
【図１５】
2004015878.tif 000017
【図１６】
2004015878.tif 000018
【図１７】
2004015878.tif 000019
【図１８】
2004015878.tif 000020
【図１９】
2004015878.tif 000021
【図２０】
2004015878.tif 000022